【手続補正書】
【提出日】平成22年3月12日(2010.3.12)
【手続補正１】
【補正対象書類名】特許請求の範囲
【補正対象項目名】全文
【補正方法】変更
【補正の内容】
【特許請求の範囲】
【請求項１】
電子写真画像形成装置の装置本体に装着されるカートリッジであり、
前記カートリッジは、枠体及び前記カートリッジを電子写真画像形成装置の装置本体に装着する際に取り除く部材を少なくとも有し、
前記枠体の一部または全てが、スチレン系樹脂組成物もしくはオレフィン系樹脂組成物で形成されており、
前記部材が、ポリブチレンサクシネート系樹脂を少なくとも含む分解性プラスチックで形成されており、
前記枠体と前記部材が分離可能であることを特徴とする電子写真画像形成装置のカートリッジ。
【請求項２】
前記枠体が、現像剤を収納する現像剤収納枠体であり、
前記部材が、前記現像剤収納枠体の現像剤を供給するための開口部を封止しているシール部材を引き抜くための把手であり、前記現像剤収納枠体と前記把手とが分離可能であることを特徴とする請求項１に記載の電子写真画像形成装置のカートリッジ。
【請求項３】
前記部材が、前記ポリブチレンサクシネート系樹脂とポリ乳酸系樹脂を配合している分解性プラスチックで形成されてことを特徴とする請求項１又は２に記載の電子写真画像形成装置のカートリッジ。
【請求項４】
前記枠体がスチレン系樹脂組成物で形成されており、
前記部材が前記枠体の曲げ弾性率よりも低い曲げ弾性率のポリブチレンサクシネート系樹脂を少なくとも含む分解性プラスチックで形成されていることを特徴とする請求項１乃至３のいずれか１項に記載の電子写真画像形成装置のカートリッジ。
【請求項５】
前記枠体がスチレン系樹脂組成物で形成されており、
前記部材が前記枠体の収縮率よりも大きい収縮率のポリブチレンサクシネート系樹脂を少なくとも含む分解性プラスチックで形成されていることを特徴とする請求項１乃至４のいずれか１項に記載の電子写真画像形成装置のカートリッジ。
【請求項６】
前記枠体がスチレン系樹脂組成物で形成されており、
前記部材が前記枠体の成形温度よりも低い成形温度のポリブチレンサクシネート系樹脂を少なくとも含む分解性プラスチックで形成されていることを特徴とする請求項１乃至４のいずれか１項に記載の電子写真画像形成装置のカートリッジ。
【請求項７】
スチレン系樹脂組成物で形成されている前記枠体を成形し、その後にポリブチレンサクシネート系樹脂組成物を少なくとも含む分解性プラスチックで形成されている前記部材を成形したことを特徴とする請求項１乃至６のいずれか１項に記載の電子写真画像形成装置のカートリッジ。
【請求項８】
前記スチレン系樹脂組成物は、スチレン系樹脂とゴム状重合体との混合物、又は、スチレン系樹脂とゴム状共重合体との混合物であることを特徴とする請求項１乃至７のいずれか１項に記載の電子写真画像形成装置のカートリッジ。
【手続補正２】
【補正対象書類名】明細書
【補正対象項目名】発明の名称
【補正方法】変更
【補正の内容】
【発明の名称】電子写真画像形成装置のカートリッジ
【手続補正３】
【補正対象書類名】明細書
【補正対象項目名】００１５
【補正方法】変更
【補正の内容】
【００１５】
本出願に係る第１の発明は、電子写真画像形成装置の装置本体に装着されるカートリッジであり、
前記カートリッジは、前記枠体及びカートリッジを電子写真画像形成装置の装置本体に装着する際に取り除く部材を少なくとも有し、
前記枠体の一部または全てが、スチレン系樹脂組成物もしくはオレフィン系樹脂組成物で形成されており、
前記部材が、ポリブチレンサクシネート系樹脂を少なくとも含む分解性プラスチックで形成されており、
該枠体と該部材が分離可能であることを特徴とする電子写真画像形成装置のカートリッジである。
本出願に係る第２の発明は、前記枠体が、現像剤を収納する現像剤収納枠体であり、
前記部材が、前記現像剤収納枠体の現像剤を供給するための開口部を封止しているシール部材を引き抜くための把手であり、前記現像剤収納枠体と前記把手とが分離可能であることを特徴とする第１の発明に記載の電子写真画像形成装置のカートリッジである。
【手続補正４】
【補正対象書類名】明細書
【補正対象項目名】００１６
【補正方法】変更
【補正の内容】
【００１６】
本出願に係る第３の発明は、前記部材が、前記ポリブチレンサクシネート系樹脂とポリ乳酸系樹脂を配合している分解性プラスチックで形成されてことを特徴とする第１の発明又は第２の発明に記載の電子写真画像形成装置のカートリッジである。
【手続補正５】
【補正対象書類名】明細書
【補正対象項目名】００１７
【補正方法】変更
【補正の内容】
【００１７】
本出願に係る第４の発明は、前記枠体がスチレン系樹脂組成物で形成されており、
前記部材が前記枠体の曲げ弾性率よりも低い曲げ弾性率のポリブチレンサクシネート系樹脂を少なくとも含む分解性プラスチックで形成されていることを特徴とする第１の発明乃至第３の発明のいずれか１発明に記載の電子写真画像形成装置のカートリッジである。
【手続補正６】
【補正対象書類名】明細書
【補正対象項目名】００１８
【補正方法】変更
【補正の内容】
【００１８】
本出願に係る第５の発明は、前記枠体がスチレン系樹脂組成物で形成されており、
前記部材が前記枠体の収縮率よりも大きい収縮率のポリブチレンサクシネート系樹脂を少なくとも含む分解性プラスチックで形成されていることを特徴とする第１の発明乃至第４の発明のいずれか１発明に記載の電子写真画像形成装置のカートリッジである。
【手続補正７】
【補正対象書類名】明細書
【補正対象項目名】００１９
【補正方法】変更
【補正の内容】
【００１９】
本出願に係る第６の発明は、前記枠体がスチレン系樹脂組成物で形成されており、
前記部材が前記枠体の成形温度よりも低い成形温度のポリブチレンサクシネート系樹脂を少なくとも含む分解性プラスチックで形成されていることを特徴とする第１の発明乃至第５の発明のいずれか１発明に記載の電子写真画像形成装置のカートリッジある。
【手続補正８】
【補正対象書類名】明細書
【補正対象項目名】００２０
【補正方法】変更
【補正の内容】
【００２０】
本出願に係る第７の発明は、スチレン系樹脂組成物で形成されている前記枠体を成形し、その後にポリブチレンサクシネート系樹脂組成物を少なくとも含む分解性プラスチックで形成されている前記部材を成形したことを特徴とする第１の発明乃至第６の発明のいずれか１発明に記載の電子写真画像形成装置のカートリッジである。
【手続補正９】
【補正対象書類名】明細書
【補正対象項目名】００２１
【補正方法】変更
【補正の内容】
【００２１】
本出願に係る第８の発明は、前記スチレン系樹脂組成物は、スチレン系樹脂とゴム状重合体との混合物、又は、スチレン系樹脂とゴム状共重合体との混合物であることを特徴とする第１の発明乃至第７の発明のいずれか１発明に記載の電子写真画像形成装置のカートリッジである。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００６９
【補正方法】変更
【補正の内容】
【００６９】
ヒートシール性
従来使用していた材質であるＰＰは比較的弱い。（実使用では問題ないレベル）
シール把手１５の材質はＰＢＳは比較的弱い。（実使用では問題ないレベル）
ＰＬＡは優れているのでＰＬＡのブレンド比率が多くなると良好となる。
【手続補正１３】
【補正対象書類名】明細書
【補正対象項目名】００７１
【補正方法】変更
【補正の内容】
【００７１】
温度環境（高温、高湿）
従来使用していた材質であるＰＰは問題なし
シール把手１５の材質はＰＢＳは分解速度が比較的早い。（実際には問題ないレベル）
ＰＬＡは分解速度が遅い特徴をもつのでＰＬＡのブレンド比率が多くなると良好となる。
【手続補正１４】
【補正対象書類名】明細書
【補正対象項目名】００８６
【補正方法】変更
【補正の内容】
【００８６】
前記容器本体７６は、図９ａに示すように、円筒状の部材であり、その長手に伸びるスリット状の開口部７６ａを設けている。